(57)【特許請求の範囲】
【請求項１】
画像を表す画像データを与えるための手段と、
該与えられた画像データに基づいて縫い目データを生成するための手段と、
該生成された縫い目データを読み出し可能に記憶する手段と、を備えた第１の刺繍データ作成装置と、
縫い目データを生成するための手段で生成された縫い目データ或いは他の予め与えられた縫い目データを入力して編集可能な編集するための手段とを備えた第２の刺繍データ作成装置と、
前記第１の刺繍データ作成装置の前記画像データを与えるための手段と、縫い目データを生成するための手段と、記憶する手段の中の少なくとも１つに、前記第２の刺繍データ作成装置を接続するための手段と、
該接続される前記第２の刺繍データ作成装置を含めて制御する制御手段と、
を備え、相互にデータのやりとりが可能に前記第1の刺繍データ作成装置と前記第2の刺繍データ作成装置とを接続するようにし、
前記制御手段は、編集の要求があった時に、前記編集するための手段に縫い目データの編集を行わせ、
前記第２の刺繍データ作成装置からの編集された縫い目データを前記記憶する手段により着脱可能な記憶手段に記憶可能として、
該着脱可能な記憶手段をミシンに装着して編集された刺繍データを刺繍可能とすること
を特徴とする２ウェイ機能を備えた刺繍データ作成装置。
【請求項２】
前記第２の刺繍データ作成装置は、画像を表す画像データを与えるための手段を備える、
請求項１に記載の２ウェイ機能を備えた刺繍データ作成装置。
【請求項３】
前記第２の刺繍データ作成装置が、縫い目データに基づいて表示装置に刺繍模様を表示するための表示データを生成するための手段を更に備えた、
請求項１に記載の２ウェイ機能を備えた刺繍データ作成装置。
【請求項４】
画像を表す画像データを与えるための手段と、
該与えられた画像データに基づいて縫い目データを生成するための手段と、
該生成された縫い目データを読み出し可能に記憶する手段と、
前記画像データを与えるための手段と、縫い目データを生成するための手段と、記憶する手段の中の少なくとも１つに、相互にデータのやりとりが可能に他のデータ処理装置を接続するための手段と、
該接続するための手段により接続される他のデータ処理装置と、
該接続される他のデータ処理装置を含めて制御可能な制御手段と、を備え、
前記他のデータ処理装置は、前記縫い目データを生成するための手段において生成された縫い目データ或いは他の予め与えられた縫い目データを入力して編集可能な編集するための手段を備え、
前記制御手段は、編集の要求があった時に、前記編集するための手段に縫い目データの編集を行わせ、
前記他のデータ処理装置からの編集された縫い目データを前記記憶する手段により着脱可能な記憶手段に記憶可能として、
該着脱可能な記憶手段をミシンに装着して編集された刺繍データを刺繍可能とすること
を特徴とする２ウェイ機能を備えた刺繍データ作成装置。
【発明の詳細な説明】
【０００１】
【発明の属する技術分野】
この発明は、刺繍データ生成装置に関する。
【０００２】
【従来の技術】
刺繍縫いが可能なミシンや刺繍縫い専用装置に刺繍縫いを行わせるためのデータは、装置のメーカ等が作成してユーザに供給するのが通常の形態である。
しかし、近年のユーザの好みの多様化に対応するため、ユーザ自身が作成した原画をイメージセンサで読み取り、これに基づいて刺繍データを生成する装置が、本願出願人らにより提案され、市販されている。
【０００３】
【発明が解決しようとする課題】
上記した従来の刺繍データ生成装置は、比較的構造が簡単でまた操作も簡単である利点を有するが、機能的に限定され、また拡張性も乏しい問題があった。例えば刺繍縫い目には種々の形態のものがあるが、従来の装置でこのような多様な刺繍縫い目データを生成させるのは難しかった。また、縫い目データを編集したり、或いは異なる縫い目データを合体させたりする機能も十分でない問題もあった。更に、表示機能も十分ではなく、表示画面が小さい上、カラー表示も難しい問題があった。
また、近年データを保存する媒体が種々存在し、これらの種々の媒体に記憶された画像データも市販されているが、これらの新しい媒体に対応することも難しい問題がある。
本発明は上記従来技術の欠点を改善することを目的とする。
【０００４】
【課題を解決するための手段】
上記目的を達成するために、本発明は、画像を表す画像データを与えるための手段と、該与えられた画像データに基づいて縫い目データを生成するための手段と、該生成された縫い目データを読み出し可能に記憶する手段と、を備えた第１の刺繍データ作成装置と、縫い目データを生成するための手段で生成された縫い目データ或いは他の予め与えられた縫い目データを入力して編集可能な編集するための手段とを備えた第２の刺繍データ作成装置と、前記第１の刺繍データ作成装置の前記画像データを与えるための手段と、縫い目データを生成するための手段と、記憶する手段の中の少なくとも１つに、前記第２の刺繍データ作成装置を接続するための手段と、該接続される前記第２の刺繍データ作成装置を含めて制御する制御手段と、を備え、相互にデータのやりとりが可能に前記第1の刺繍データ作成装置と前記第2の刺繍データ作成装置とを接続するようにし、前記制御手段は、編集の要求があった時に、前記編集するための手段に縫い目データの編集を行わせ、前記第２の刺繍データ作成装置からの編集された縫い目データを前記記憶する手段により着脱可能な記憶手段に記憶可能として、該着脱可能な記憶手段をミシンに装着して編集された刺繍データを刺繍可能とすることを特徴とする２ウェイ機能を備えた刺繍データ作成装置とすることで課題を解決した。
また本発明は，前記第２の刺繍データ作成装置は、画像を表す画像データを与えるための手段を備える、２ウェイ機能を備えた刺繍データ作成装置とすることで課題を解決した。
また本発明は，前記第２の刺繍データ作成装置が、縫い目データに基づいて表示装置に刺繍模様を表示するための表示データを生成するための手段を更に備えた、２ウェイ機能を備えた刺繍データ作成装置とすることで課題を解決した。
また本発明は，画像を表す画像データを与えるための手段と、該与えられた画像データに基づいて縫い目データを生成するための手段と、該生成された縫い目データを読み出し可能に記憶する手段と、前記画像データを与えるための手段と、縫い目データを生成するための手段と、記憶する手段の中の少なくとも１つに、相互にデータのやりとりが可能に他のデータ処理装置を接続するための手段と、該接続するための手段により接続される他のデータ処理装置と、該接続される他のデータ処理装置を含めて制御可能な制御手段と、を備え、前記他のデータ処理装置は、前記縫い目データを生成するための手段において生成された縫い目データ或いは他の予め与えられた縫い目データを入力して編集可能な編集するための手段を備え、前記制御手段は、編集の要求があった時に、前記編集するための手段に縫い目データの編集を行わせ、前記他のデータ処理装置からの編集された縫い目データを前記記憶する手段により着脱可能な記憶手段に記憶可能として、該着脱可能な記憶手段をミシンに装着して編集された刺繍データを刺繍可能とすることを特徴とする２ウェイ機能を備えた刺繍データ作成装置とすることで課題を解決した。
【０００５】
【発明の実施の形態】
以下本発明の実施の形態を図面に基づいて説明する。
図１において、第１刺繍データ作成装置Ａはスキャナ１を備え、ユーザが描いた原画などをスキャナ１により読み取って、その画像データを画像データ記憶装置２に記憶させるようになっている。該画像データは縫い目データ生成装置３において、針落ち点の座標データ等の縫い目データに変換されるように構成されている。この縫い目データは縫い目データ記憶装置４に格納され、更にデータ書込／読込装置５においてＲＡＭカードＣ等の記憶媒体に記憶されるように構成されている。刺繍縫い可能なミシン等においてＲＡＭカードＣから縫い目データを読み込み、該縫い目データに従って刺繍縫いを実行するようになっている。
画像データ記憶装置２の画像データ及び縫い目データ生成装置３の縫い目データは表示データ生成装置８に送られて、ここで画像データ及び縫い目データに対応する表示データが生成され、表示装置９に表示されるように構成されている。ユーザは読み取った画像データ及び生成した縫い目データに基づく刺繍模様を表示装置９により確認できるようになっている。表示装置９は通常白黒の液晶表示装置が用いられる。
【０００６】
以上の構成において、更に接続装置６を備え、この接続装置６を介して第２刺繍データ作成装置Ｂと接続可能に構成されている。画像データ記憶装置２、縫い目データ生成装置３、縫い目データ記憶装置４の中の少なくとも１つが第２刺繍データ作成装置Ｂに接続可能とし、第２刺繍データ作成装置Ｂにおけるデータ処理を利用できるようになっている。この実施形態では画像データ記憶装置２、縫い目データ生成装置３、縫い目データ記憶装置４のいずれもが第２刺繍データ作成装置Ｂに接続可能になっている。
【０００７】
第２刺繍データ作成装置Ｂはパソコン等により構成されており、ソフト的に刺繍データ作成装置を形成している。画像読込装置５０はＣＤやＦＤ等の記憶媒体の読み取り装置であって、画像データをここから読み取るようになっている。画像読込装置５０としてはスキャナ等であっても良い。読み取られた画像データは画像データ記憶装置５１に記憶され、縫い目データ生成／編集装置５２において縫い目データに変換されるようになっている。この縫い目データ生成／編集装置５２はデータ編集機能も備えており、縫い目データを編集して、縫い目の変更、刺繍模様の拡大、縮小、回転、模様の合体等種々の編集を行えるようになっている。
【０００８】
縫い目データ生成／編集装置５２において生成され、又は編集された縫い目データは縫い目データ記憶装置５３に格納されるようになっている。縫い目データ記憶装置５３には更に通信データ変換装置５４が接続しており、必要に応じて縫い目データを通信可能なデータに変換するように構成されている。
【０００９】
画像データ記憶装置５１からの画像データ及び縫い目データ生成／編集装置５２からの縫い目データは表示データ生成装置５５に入力し、表示データに変換され、表示装置５６に表示されるようになっている。表示装置５６としては通常カラー表示が用いられる。
【００１０】
上記した、画像データ記憶装置２、縫い目データ生成装置３、縫い目データ記憶装置４はそれぞれ画像データ記憶装置５１、縫い目データ生成／編集装置５２、縫い目データ記憶装置５３と相互にデータのやりとりが可能であり、これら全体のデータの流れの制御を制御装置７により行っている。即ち、画像データ記憶装置２のデータを縫い目データ生成／編集装置５２に取り込んだり、或いは逆に画像データ記憶装置５１のデータを縫い目データ生成装置３に取り込むことが可能である。また、縫い目データ生成／編集装置５２又は縫い目データ記憶装置５３から縫い目データを縫い目データ記憶装置４に出力し、データ書込／読込装置５を介してＲＡＭカードＣに記憶させる等も可能である。また、画像データ記憶装置２或いは縫い目データ生成装置３からのデータを表示装置５６に表示させるなど、種々のデータ交換が可能になっている。
【００１１】
図２により動作を説明する。
制御装置７の制御により、スキャナ１による画像の読み取りの場合には（ステップＳ１）、スキャナ１により画像読み取りを実行し（ステップＳ２）、画像データ記憶装置２に画像データを記憶する（ステップＳ３）。画像読込装置５０による画像データの入力の場合には（ステップＳ４）、画像データを読み込んで（ステップＳ５）、該画像データを画像データ記憶装置５１に記憶する（ステップＳ６）。また、縫い目データを直接読み込むことも可能であり、この場合には縫い目データを読み込んで（ステップＳ７）、該縫い目データを縫い目データ記憶装置５３に記憶する（ステップＳ８）。
次に制御装置７により縫い目データ生成装置３による縫い目データの生成が設定されている場合には（ステップＳ９）、編集が要求されているか否か判断し（ステップＳ１０）、編集でない場合には縫い目データ生成装置３において縫い目データを生成し（ステップＳ１１）、これを縫い目データ記憶装置４に記憶する（ステップＳ１２）。縫い目データ生成／編集装置５２が設定されている場合或いは編集が要求されている場合には縫い目データ生成／編集装置５２において縫い目データの生成或いは編集がなされ（ステップＳ１３）、縫い目データ記憶装置５３に記憶される（ステップＳ１４）。
そして、終了か否か判定し（ステップＳ１５）、終了であればＲＡＭカードＣにデータを書き込んで（ステップＳ１６）、終了する。
【００１２】
なお、上記説明では刺繍データ作成装置は単独の装置として説明したが、この刺繍データ作成装置を備えたミシンや刺繍機であっても良い。
【００１３】
【発明の効果】
以上説明したように本発明の刺繍データ作成装置によれば、他のデータ処理装置や他の刺繍データ作成装置と接続することができ、多様な刺繍データを生成することが可能になる。具体的には、画像データを読み込んで読み込んだ画像データに基づいて自動的に刺繍データを生成することができる。作成した刺繍データや読み込んだ画像データを接続したデータ処理装置に送り、生成された縫い目データ或いは他の予め与えられた縫い目データを編集加工したり、或いは表示したりすることが可能になる。そして生成或いは編集加工した縫い目データを刺繍データ作成装置の記憶手段に記憶することが可能となり、着脱可能な記憶手段によって、刺繍可能なミシンや刺繍機等において利用可能とすることができる。
【図面の簡単な説明】
【図１】本発明の一実施形態を示す機能ブロック図。
【図２】本発明の一実施形態の動作を説明するフローチャート図。
【符号の説明】
１：スキャナ、２：画像データ記憶装置、３：縫い目データ生成装置、４：縫い目データ記憶装置、５：データ書込／読込装置、６：接続装置、７：制御装置、８：表示データ生成装置、９：表示装置、５０：画像読込装置、５１：画像データ記憶装置、５２：縫い目データ生成／編集装置、５３：縫い目データ記憶装置、５４：通信データ変換装置、５５：表示データ生成装置、５６：表示装置。
【図１】
0004073057.tif 000002
【図２】
0004073057.tif 000003